(57)【要約】【課題】太陽電池モジュールの周囲がカバー壁で閉塞された太陽光発電装置において、カバー壁内の閉塞空間を通気できる太陽光発電装置を提供する。【解決手段】陸屋根に載置し太陽電池モジュールＰを支持する架台と、傾斜状に架台に設置した太陽電池モジュールＰの周囲側面にカバー壁が設けられた太陽光発電装置１において、カバー壁を、前壁カバー２１と、後壁カバー２２と、互いに対向する少なくとも一対の垂直壁２３とから構成し、且つ当該垂直壁２３に防水型換気ルーバー３１を備えた。【選択図】  図１
0003205789.tif 000002
【実用新案登録請求の範囲】
【請求項１】
陸屋根に載置し太陽電池モジュールを支持する架台と、傾斜状に架台に設置した太陽電池モジュールの周囲側面にカバー壁が設けられた太陽光発電装置において、前記カバー壁が互いに対向する少なくとも一対の垂直壁を備え、且つ当該垂直壁に防水型換気ルーバーを備えたことを特徴とする太陽光発電装置。
【請求項２】
前記防水型換気ルーバーが、複数の羽根板を格子状に並設し、これら羽根板同士の間隙でもって通気可能なルーバーであって、羽根板がその幅方向のほぼ中心において断面略く字状で且つ外側に向かって膨出した円弧状に形成されていると共に、該羽根板の屈折点を境界にして互いに湾曲方向の異なる弧状面を設け、前記屈折点の外側に断面がＬ字型をした中間溝部材を一体に有し、且つ前記く字型部の下端縁部内側に断面が逆Ｌ字型をなした下縁溝部材を有してなる羽根板を多数備え、一方の羽根板の中間溝部材下に他方の羽根板の下縁部材が位置するように互いに上下方向に重合させると共に、両羽根板間に、断面が略く字状の空隙をもたせて互いに平行に配置してなることを特徴とする請求項１に記載の太陽光発電装置。
【考案の詳細な説明】
【技術分野】
【０００１】
本考案は、太陽エネルギーを利用して発電を行う太陽電池モジュールなどの太陽光発電装置に関し、とくに架台を用いて陸屋根上などに設置される太陽光発電装置に関するものである。
【背景技術】
【０００２】
近年、太陽光を光に変換する太陽電池素子を複数接続した太陽電池モジュールを用いて住宅の屋根などを発電部とする太陽光発電装置が普及している。とくに、ビルやマンション等、工場、倉庫等の建築物は、陸屋根の面積が広いため、この陸屋根に多くの太陽光発電装置が設置されている。これに伴い、陸屋根形状に対応した太陽光発電装置が種々提案されている。
【０００３】
例えば、特許文献１や特許文献２には、太陽電池モジュールの受光面を傾斜させて架台に設置すると共に、太陽電池モジュールの周囲に開いた隙間を閉塞するカバー壁を設け、太陽電池モジュールに吹付ける風圧を太陽電池モジュールの押圧力に利用できるように構成した太陽電池モジュール用架台が提案されている。
【先行技術文献】
【特許文献】
【０００４】
【特許文献１】特開２０１４−２２４３８２号公報
【特許文献２】実用新案登録第３１８６５６８号公報
【考案の概要】
【考案が解決しようとする課題】
【０００５】
しかしながら、特許文献１や特許文献２に記載されている架台は、太陽電池モジュールの周囲側面をカバー壁で閉塞しているため、閉塞空間内に熱がこもり、架台自体ひいては太陽電池モジュールが冷却され難いという問題があった。一般的に太陽電池モジュールは熱に弱く、温度が上昇することで発電効率が低下するため、冷却性能が重要な課題であった。また、わずかな隙間から侵入した雨水が、いつまでも閉塞空間内の陸屋根上に残存し、閉塞空間内は排水性が悪かった。
【０００６】
本考案は、上記の問題点に鑑みなされたもので、太陽電池モジュールの周囲がカバー壁で閉塞された太陽光発電装置において、カバー壁内の閉塞空間を通気できる太陽光発電装置を提供することを目的とする。
【課題を解決するための手段】
【０００７】
このため本考案の太陽光発電装置は、陸屋根に載置し太陽電池モジュールを支持する架台と、傾斜状に架台に設置した太陽電池モジュールの周囲側面にカバー壁が設けられた太陽光発電装置において、前記カバー壁が互いに対向する少なくとも一対の垂直壁を備え、且つ当該垂直壁に防水型換気ルーバーを備えたことを第一の特徴とする。
【０００８】
また、防水型換気ルーバーが、複数の羽根板を格子状に並設し、これら羽根板同士の間隙でもって通気可能なルーバーであって、羽根板がその幅方向のほぼ中心において断面略く字状で且つ外側に向かって膨出した円弧状に形成されていると共に、該羽根板の屈折点を境界にして互いに湾曲方向の異なる弧状面を設け、前記屈折点の外側に断面がＬ字型をした中間溝部材を一体に有し、且つ前記く字型部の下端縁部内側に断面が逆Ｌ字型をなした下縁溝部材を有してなる羽根板を多数備え、一方の羽根板の中間溝部材下に他方の羽根板の下縁部材が位置するように互いに上下方向に重合させると共に、両羽根板間に、断面が略く字状の空隙をもたせて互いに平行に配置してなることを第２の特徴とする。
【考案の効果】
【０００９】
本考案の太陽光発電装置は、垂直壁に防水型換気ルーバーを備えているため、太陽光発電装置内の閉鎖空間を通気することができるとともに、風とともに吹き込む雨水の侵入を防止することができる。また、閉鎖空間内に熱がこもることを防止し、太陽電池モジュールの劣化を防ぐことができる副次的効果を得る。
【図面の簡単な説明】
【００１０】
【図１】本考案に係る太陽光発電装置の一実施例を示す斜視図である。
【図２】本考案に係る太陽光発電装置の一実施例を示す（ａ）が縦断面図、（ｂ）が横断面図である。
【図３】本考案に係る太陽光発電装置の防水型換気ルーバーを示す（ａ）が縦断面図、（ｂ）が横断面図である。
【図４】本考案に係る太陽光発電装置の他の実施例を示す斜視図である。
【考案を実施するための形態】
【００１１】
以下、本考案の第一実施形態に係る太陽光発電装置１について、図１、図２を参照しながら詳細に説明する。本考案の太陽光発電装置１は、陸屋根上に設置された架台に、複数の太陽電池モジュールＰを縦横配列するとともに、傾斜した状態で支持固定し、太陽電池モジュールＰの周囲に壁体を設け、壁体に防水型換気ルーバーを設けたものである。尚、本考案においては、太陽光発電装置１の前面とは、図１中左下方向、及び図２中左方向を指し、後面とは、図１中右上方向、及び図２中右方向を指す。
【００１２】
架台の材質は、一般的に架台に使用される材質であればいずれでも使用することができる。このような材質としては、例えば、鉄、アルミニウム、銅、ステンレス、チタン、アルミ・亜鉛合金メッキ鋼板、合金メッキ鋼板等の金属材及び合金材、もしくは塩化ビニル樹脂、ポリカーボネイト樹脂等の合成樹脂材が挙げられ、軽量性、剛性の点から合金メッキ鋼板が好ましい。架台は、図２に示すように、高さの異なる複数の支柱１２を立設した支持桟１１を複数設け、これらを横桟１３で連結し、太陽電池モジュールＰが固定される固定桟１４を横桟１３の上部に傾斜状に設けて一体化したものである。本考案においては、支柱１２、横桟１３、及び固定桟１４に合金メッキ鋼板をコの字状に折曲成型したものを用いているが、これに限定されるものではなく、自重や風圧などの荷重に応じて折曲形状は選択できるものとする。
【００１３】
複数の支柱１２は、太陽電池モジュールＰが所定の傾斜角度となるよう、異なる高さで支持桟１１に設けられており、その傾斜角度、及び支柱１２の高さは、太陽光発電装置１が設置される陸屋根の日射条件によって決定される。支持桟１１は、図２（ｂ）に示すように、短手方向の断面形状が凸形状となるよう形成され、接地面積が確保されている。また、支持桟１１は、図２（ａ）に示すように、その端部が固定桟１４の端部から突出する長さとなるよう構成されるとともに、支持桟１１の端部には、孔が穿設されている。この孔にワイヤー等（図示せず）を通して陸屋根に固定可能とされ、後述する側壁カバー２３が設置面Ｇに対して垂直に設けられるため、側壁カバー２３が風圧を受けて太陽光発電装置１自体が水平移動することを防ぐことができる。
【００１４】
太陽光発電装置１は、以上の構成により組み立てられた架台に太陽電池モジュールＰを装着し、太陽電池モジュールＰの周囲から設置面Ｇまでの開いた隙間を閉塞するカバー壁が設けられている。カバー壁は、図１、図２に示すように、前壁カバー２１、後壁カバー２２、及び一対の側壁カバー２３から構成されている。より詳しくは、カバー壁は、太陽電池モジュールＰの端部から設置面Ｇに向けて傾斜する前壁カバー２１及び後壁カバー２２と、太陽電池モジュールＰの端部から設置面Ｇに向けて垂下（傾斜角度＝０）し、防水型換気ルーバー３１を備えた側壁カバー２３とが、支持桟１１、固定桟１４に固定されている。
【００１５】
前壁カバー２１は、太陽電池モジュールＰの上面の前側縁部を覆い外側に向かって傾斜し、後壁カバー２２は、太陽電池モジュールＰの上面の後側縁部を覆い外側に向かって傾斜したカバーで、固定桟１４を覆い支持桟１１の端部に沿って設けられている。側壁カバー２３は、図１、図２（ｂ）に示すように、太陽電池モジュールＰの上面の左右側縁部と固定桟１４を夫々覆い設置面Ｇに向けて垂下した垂直壁で、設置面積を確保するため折曲部２３ａが形成されている。前壁カバー２１、後壁カバー２２、及び側壁カバー２３は、合金メッキ鋼板を折り曲げ成型したものである。
【００１６】
側壁カバー２３には、防水型換気ルーバー３１が設けられており、カバー壁で閉塞された架台内の空間Ｑを通気させることができる。防水型換気ルーバー３１は、図３に示すように、アルミサッシ製の枠体３１１に複数の横羽根板３１２が一体的に連設された外側面３１３と、内側面３１４とを備え、この内側面３１４が架台内の空間Ｑ内に臨む状態で側壁カバー２３に取り付けられる構成とされている。横羽根板３１２はアルミ製の板材からなり、外側下方に向かって傾斜して配されると共に、上下方向に一定間隔置きに横長孔状の複数の換気孔３１５を設けてなる。
【００１７】
３１６は縦羽根板である。この縦羽根板３１６は、枠体３１１の幅方向（内外方向）断面が略く字型をなし、縦羽根板３１６の屈折点３１６ａを境界にして互いに湾曲方向の異なる第１の弧状面３１７及び第２の弧状面３１８が連続して形成されている。また、その屈折点３１６ａの外側に第２の弧状面３１８から延出して断面が逆Ｌ字型をした中間溝部材３１９が一体形成され、更に第２の弧状面３１８の下端縁には断面がＬ型の下縁溝部材３２０が一体成形されている。すなわち、第１及び第２の弧状面３１７及び３１８、中間溝部材３１９、下縁溝部材３２０からなる断面形状が連続した型材によって縦羽根板３１６が構成されている。そして、これら縦羽根板３１６同士の間隙３２１（通気路）でもって屋外から屋内に外気を通気させるものとされている。
【００１８】
すなわち、上記のように構成される縦羽根板３１６を互いに平行に並べ、矩形状の枠体３１１内に固定する。その際、各縦羽根板３１６は、隣接するもの同士の間において、一方の中間溝部材３１９を他方の下縁溝部材３２０と重なり合うように位置させ、且つ、一方の縦羽根板３１６の内側面と他方の縦羽根板３１６の外側面との間に断面が略く字状をした間隙（通気路）３２１が形成されるように並設する。
【００１９】
各縦羽根板３１６は、その幅方向のほぼ中心において断面略く字状で且つ外側に向かって膨出した円弧状に形成されているので、縦羽根板３１６間を流通する空気に遠心力を付与し、流通空気の抵抗を大幅に削減することができる。すなわち、縦方向に配置された複数の縦羽根板３１６が、幅方向に断面略く字状で且つ、２つの弧状面３１７及び３１８を設けているので、屋外からの風雨が各弧状面に倣って円滑に流動して充分な換気を行なうことができる。さらに、これら弧状面３１７及び３１８の背部及び端部に、中間溝部材３１９及び下縁溝部材３２０により上下方向に溝が形成され、これらの溝によって屋外から屋内への風雨の侵入を防止し、雨滴を受け止め集積して流下させることができる。
【００２０】
以上のように構成された太陽光発電装置１では、外気は間隙３２１内を自由に通過し、上空から自然に降る雨水は中間溝部材３１９に受け止められる。一方、風と共に吹き込まれる雨水は、先ず、第１の弧状面３１７の膨出部分に衝突してほとんどが中間溝部材３１９内に受けられるが、ここで反射した水ぶきや、風と共に中間溝部材３１９上を通過した雨水も各弧状面３１７及び３１８に倣って風向が曲げられる際に遠心力によって第２の弧状面３１８の膨出部に衝突して下縁溝部材３２０に受け止められ流下するので、太陽光発電装置１の外部から内部（すなわちカバー壁内の閉塞空間Ｑ）への雨水の侵入を確実に防止できるとともに、閉塞空間Ｑの通気を行うことができる。
【００２１】
尚、本考案の要旨は、太陽電池モジュールの周囲をカバー壁で閉塞した太陽光発電装置において、少なくとも一対の垂直壁に防水型換気ルーバーを備えることで、太陽光発電装置内の閉塞空間を通気でき、かつ防水機能を有する点であり、本考案の要旨をしない範囲において自由に変更できるものである。したがって、例えば図４に示すように、頂点Ｔで対称となるよう、前面と後面に太陽電池モジュールＰを設けも良い。また例えば、側壁カバーのみならず、前壁カバーや後壁カバーを垂直壁とし、これらに防水型換気ルーバーを設けても良い。
【符号の説明】
【００２２】
１        太陽光発電装置
１１      支持桟
１２      支柱
１３      横桟
１４      固定桟
２１      前壁カバー
２２      後壁カバー
２３      側壁カバー
２３ａ    折曲部
３１      防水型換気ルーバー
３１１    枠体
３１２    横羽根板
３１３    外側面
３１４    内側面
３１５    換気孔
３１６    縦羽根板
３１６ａ  屈折点
３１７    第１の弧状面
３１８    第２の弧状面
３１９    中間溝部材
３２０    下縁溝部材
３２１    間隙（通気路）
Ｐ        太陽電池モジュール
Ｇ        設置面
Ｑ        架台内の空間
Ｔ        頂点
【図１】
0003205789.tif 000003
【図２】
0003205789.tif 000004
【図３】
0003205789.tif 000005
【図４】
0003205789.tif 000006